【手続補正書】
【提出日】令和2年10月19日(2020.10.19)
【手続補正１】
【補正対象書類名】特許請求の範囲
【補正対象項目名】全文
【補正方法】変更
【補正の内容】
【特許請求の範囲】
【請求項１】
電動車両に搭載した電池を普通充電する普通充電装置の予約をするための充電サービスシステムであって、
前記普通充電装置の情報を提示する第１情報提示手段と、
前記第１情報提示手段により提示された前記普通充電装置の予約要求が入力される予約入力手段と、
前記予約要求された前記普通充電装置を予約する予約手段と、
前記予約手段により予約された前記普通充電装置の周辺情報を提示する第２情報提示手段と、
予約した前記普通充電装置の予約確認要求が入力される予約確認入力手段と、
前記予約確認要求が入力される毎に、予約した前記普通充電装置の情報及び前記周辺情報を提示する第４情報提示手段と、を備えた、
充電サービスシステム。
【請求項２】
請求項１に記載の充電サービスシステムにおいて、
前記第１情報提示手段により提示された前記普通充電装置の周辺情報を提示する第３情報提示手段を備えた、
充電サービスシステム。
【請求項３】
請求項１又は２に記載の充電サービスシステムにおいて、
前記周辺情報は、周辺施設のクーポン情報、セール情報の少なくとも１つを含む、
充電サービスシステム。
【請求項４】
請求項１〜３何れか１項に記載の充電サービスシステムにおいて、
目的地が入力される目的地入力手段と、
前記目的地入力手段により入力された目的地周辺の前記普通充電装置を検索する検索手段と、を備え、
前記第１情報提示手段は、前記検索手段により検索された前記普通充電装置の情報を提示する、
充電サービスシステム。
【請求項５】
請求項４に記載の充電サービスシステムにおいて、
前記予約入力手段には、前記第１情報提示手段により提示された前記普通充電装置の予約要求、使用開始時間及び使用終了時間が入力され、
前記予約手段が、前記予約要求が入力された前記普通充電装置を前記使用開始時間から前記使用終了時間まで予約する、
充電サービスシステム。
【請求項６】
請求項４又は５に記載の充電サービスシステムにおいて、
前記検索手段は、前記目的地入力手段により入力された目的地が所定の領域内であるとき、前記目的地までの交通機関と前記電動車両との乗り換え地点周辺の前記普通充電装置を検索する、
充電サービスシステム。
【請求項７】
電動車両に搭載した電池を普通充電する普通充電装置の予約をするための通信端末であって、
前記普通充電装置の情報及び前記普通充電装置の周辺情報を受信する情報受信手段と、
受信した前記普通充電装置の情報を提示する第１情報提示手段と、
前記第１情報提示手段により提示された前記普通充電装置の予約要求が入力される予約入力手段と、
前記予約要求をサーバ装置に送信する予約送信手段と、
前記予約要求の送信に応じて予約された前記普通充電装置の周辺情報を提示する第２情報提示手段と、
予約した前記普通充電装置の予約確認要求が入力される予約確認入力手段と、
前記予約確認要求が入力される毎に、予約した前記普通充電装置の情報及び前記周辺情報を提示する第４情報提示手段と、を備えた、
通信端末。
【請求項８】
電動車両に搭載した電池を普通充電する普通充電装置の予約をするためのサーバ装置であって、
前記普通充電装置の情報及び前記普通充電装置の周辺情報を通信端末に送信する情報送信手段と、
前記通信端末から前記普通充電装置の予約要求を受信する予約受信手段と、
前記予約要求された前記普通充電装置を予約する予約手段と、
前記通信端末から前記普通充電装置の予約確認要求を受信する予約確認受信手段と、を備え、
前記情報送信手段は、前記予約確認要求を受信する毎に、予約された前記普通充電装置の情報及び前記普通充電装置の周辺情報を送信する、
サーバ装置。
【手続補正２】
【補正対象書類名】明細書
【補正対象項目名】０００８
【補正方法】変更
【補正の内容】
【０００８】
前述した目的を達成するために、本発明に係る充電サービスシステム、通信端末、及び、サーバ装置は、下記［１］〜［８］を特徴としている。
［１］
電動車両に搭載した電池を普通充電する普通充電装置の予約をするための充電サービスシステムであって、
前記普通充電装置の情報を提示する第１情報提示手段と、
前記第１情報提示手段により提示された前記普通充電装置の予約要求が入力される予約入力手段と、
前記予約要求された前記普通充電装置を予約する予約手段と、
前記予約手段により予約された前記普通充電装置の周辺情報を提示する第２情報提示手段と、
予約した前記普通充電装置の予約確認要求が入力される予約確認入力手段と、
前記予約確認要求が入力される毎に、予約した前記普通充電装置の情報及び前記周辺情報を提示する第４情報提示手段と、を備えた、
充電サービスシステムであること。
［２］
［１］に記載の充電サービスシステムにおいて、
前記第１情報提示手段により提示された前記普通充電装置の周辺情報を提示する第３情報提示手段を備えた、
充電サービスシステムであること。
［３］
［１］又は［２］に記載の充電サービスシステムにおいて、
前記周辺情報は、周辺施設のクーポン情報、セール情報の少なくとも１つを含む、
充電サービスシステムであること。
［４］
［１］〜［３］何れか１項に記載の充電サービスシステムにおいて、
目的地が入力される目的地入力手段と、
前記目的地入力手段により入力された目的地周辺の前記普通充電装置を検索する検索手段と、を備え、
前記第１情報提示手段は、前記検索手段により検索された前記普通充電装置の情報を提示する、
充電サービスシステムであること。
［５］
［４］に記載の充電サービスシステムにおいて、
前記予約入力手段には、前記第１情報提示手段により提示された前記普通充電装置の予約要求、使用開始時間及び使用終了時間が入力され、
前記予約手段が、前記予約要求が入力された前記普通充電装置を前記使用開始時間から前記使用終了時間まで予約する、
充電サービスシステムであること。
［６］
［４］又は［５］に記載の充電サービスシステムにおいて、
前記検索手段は、前記目的地入力手段により入力された目的地が所定の領域内であるとき、前記目的地までの交通機関と前記電動車両との乗り換え地点周辺の前記普通充電装置を検索する、
充電サービスシステムであること。
［７］
電動車両に搭載した電池を普通充電する普通充電装置の予約をするための通信端末であって、
前記普通充電装置の情報及び前記普通充電装置の周辺情報を受信する情報受信手段と、
受信した前記普通充電装置の情報を提示する第１情報提示手段と、
前記第１情報提示手段により提示された前記普通充電装置の予約要求が入力される予約入力手段と、
前記予約要求をサーバ装置に送信する予約送信手段と、
前記予約要求の送信に応じて予約された前記普通充電装置の周辺情報を提示する第２情報提示手段と、
予約した前記普通充電装置の予約確認要求が入力される予約確認入力手段と、
前記予約確認要求が入力される毎に、予約した前記普通充電装置の情報及び前記周辺情報を提示する第４情報提示手段と、を備えた、
通信端末であること。
［８］
電動車両に搭載した電池を普通充電する普通充電装置の予約をするためのサーバ装置であって、
前記普通充電装置の情報及び前記普通充電装置の周辺情報を通信端末に送信する情報送信手段と、
前記通信端末から前記普通充電装置の予約要求を受信する予約受信手段と、
前記予約要求された前記普通充電装置を予約する予約手段と、
前記通信端末から前記普通充電装置の予約確認要求を受信する予約確認受信手段と、を備え、
前記情報送信手段は、前記予約確認要求を受信する毎に、予約された前記普通充電装置の情報及び前記普通充電装置の周辺情報を送信する、
サーバ装置であること。